(57)【要約】【課題】  回動ノブ部にノブキャップ部を固定する電子機器において、回動ノブ部とノブキャップ部を容易に分離させることができる電子機器を提供する。【解決手段】  筐体と、パネルと、シャフトの回動により内部の可変抵抗器の抵抗値を変化させるボリウム部と、円筒型を形成しシャフトと嵌合する孔を形成する円筒部を備えシャフトと共に回動する回動ノブ部と、回動ノブ部を挿入するノブキャップ部とを備え、ノブキャップ部は、端部の一部分に内側に折り曲げた折り曲げ部を備え、回動ノブ部は、外周に前記折り曲げ部を挿入する溝部を備えると共に他方の側面に折り曲げ部と嵌合する切欠きを備えるアーム部を備え、アーム部は、溝部から切欠き部に回転する方向に亘ってノブキャップ部が挿入される方向に傾斜する第１の傾斜部と、外側に傾斜した第２の傾斜部と、略中央の部分に切欠き部とを備える。【選択図】      図１
2008091735.tif 000002
【特許請求の範囲】
【請求項１】
箱型を形成し内部に電子回路を固定する筐体と、
前記筐体の一面に固定されるパネルと、
前記パネルの内側に設置され回動可能なシャフトを備え当該シャフトの回動により内部の可変抵抗器の抵抗値を変化させるボリウム部と、
円筒型を形成し前記ボリウム部と対向する方向に開口する凹部を備え当該凹部の略中央に前記シャフトと嵌合する孔を形成する円筒部を備え前記シャフトと共に回動する回動ノブ部と、
前記回動ノブ部が挿入される凹部を備えるノブキャップ部とを備え、
前記ノブキャップ部は、内側に折り曲げた折り曲げ部を備え、
前記回動ノブ部は、外周に前記折り曲げ部を挿入する溝部を備えると共に他方の側面に前記折り曲げ部と嵌合する切欠き部を備えるアーム部を備え、
前記アーム部は、前記回動ノブ部の中央を軸として前記溝部から前記切欠き部に回転する方向に亘って前記ノブキャップ部が挿入される方向に傾斜し前記折り曲げ部がスライドする平面を有する第１の傾斜部と、前記回動ノブ部の中央を軸として前記溝部から前記切欠き部に回転する方向に亘って外側に傾斜した第２の傾斜部と、略中央の部分に切欠き部とを備えることを特徴とする電子機器。
【請求項２】
請求項１記載の電子機器において、前記回動ノブ部は、前記ノブキャップ部を押圧する弾性部を備えることを特徴とする電子機器。
【発明の詳細な説明】
【技術分野】
【０００１】
本発明は、オーディオ信号を増幅するオーディオ信号増幅装置または光ディスクを再生する再生装置等の電子機器に関する。
【背景技術】
【０００２】
従来の電子機器として、オーディオ信号増幅装置を例に挙げ説明する。
従来のオーディオ信号増幅装置として、筐体の前面に備えたパネルの裏面に回動するシャフトを備えた可変抵抗器を固定し、パネルの前方に突出した当該可変抵抗器のシャフトに回動ノブ部を固定し、この回動ノブを回動操作することにより、出力するオーディオ信号の信号レベルを可変するものがある（例えば、特許文献１参照。）。
【０００３】
図８は、従来のオーディオ信号増幅装置の一例を示す斜視図である。
オーディオ信号増幅装置１００は、筐体２、パネル３、ボリウム部４、回動ノブ部５００、ノブキャップ部６００、図示しない入力部、出力部、増幅部及び電源部を備える。入力部、出力部、増幅部及び電源部は、筐体２の内部に固定され、パネル３は、筐体２の前面に固定される。
【０００４】
パネル３は、表面に凹部３０１を備え、当該凹部３０１の中央には前後に貫通する孔３０２を備える。ボリウム部４は、断面がＤ字形をした回動可能なシャフト４０１を備え、当該シャフト４０１がパネル３の孔３０２から前方に突出するようパネル３の後面に固定される。
【０００５】
入力部は、他の再生装置と電気的に接続され、出力部は、スピーカと電気的に接続される。電源部は、入力部、ボリウム部４、出力部及び増幅部へ電力を供給する。他の再生装置は、光ディスクに記録されているオーディオデータを再生し、オーディオ信号を出力する。オーディオ信号増幅装置１００の入力部は、他の再生装置から出力されたオーディオ信号を入力し、増幅部に出力する。増幅部は、入力部から出力されたオーディオ信号を増幅し、ボリウム部４に出力する。
【０００６】
ボリウム部４は、シャフト４０１を回動することにより、ボリウム部４の内部の可変抵抗器の抵抗値が変化し、増幅部から出力されたオーディオ信号の信号レベルを増減させる。出力部は、ボリウム部４により信号レベルが増減されたオーディオ信号をスピーカに出力する。スピーカは、出力部から出力されたオーディオ信号を音波として放音する。
【０００７】
回動ノブ部５００は、ＡＢＳ（Acrylonitrile Butadiene styrene resin）等の合成樹脂で成型された円筒型を形成し、後方に開口する凹部５０１を備える。回動ノブ部５００は、凹部５０１の中央に円筒部５０２を備え、円筒部５０２の中央にシャフト４０１を圧入するＤ字形をした孔５０３を備える。
【０００８】
ノブキャップ部６００は、アルミニウム部材であり、円筒型を形成し、後方に開口する凹部６０１を備える。ノブキャップ部６００は、凹部６０１に回動ノブ部５００が挿入され接着剤で接着されることにより回動ノブ部５００に固定される。回動ノブ部５００は、ノブキャップ部６００を固定した状態で孔５０３にシャフト４０１を圧入することにより、シャフト４０１に保持された状態となる。したがって、ノブキャップ部６００を回動することによりシャフト４０１が回動する。
【０００９】
以上の構成により、従来のオーディオ信号増幅装置１００は、入力部から入力したオーディオ信号を増幅部によって増幅し、ノブキャップ部６００を回動させることによって出力部から出力するオーディオ信号の信号レベルを増減することができる。
【００１０】
【特許文献１】特開平１０−０７００１４公報
【発明の開示】
【発明が解決しようとする課題】
【００１１】
近年、環境保全のために、電子機器等に用いた資材を有効利用するための資材リサイクル活動が高まりつつある。電子機器を構成する複数の種類の部材をリサイクル活用する場合、それぞれの部材を分離し回収する作業が必要になる。
【００１２】
従来のオーディオ信号記録装置１００の回動ノブ部５００及びノブキャップ部６００をリサイクル活用する場合、ノブキャップ部６００を回動ノブ部５００から分離することが必要となる。しかしながら、従来のオーディオ信号増幅装置は、組立時に回動ノブ部５００がノブキャップ部６００に接着剤で接着されるため、ノブキャップ部６００を回動ノブ部５００から分離することが非常に困難であり、リサイクルのためのコストが高くなっていた。
【００１３】
このようなアルミニウム部材のノブキャップ部を用いないで、合成樹脂で成型された回動ノブ部に塗装等を施したものをそのまま表面に露出させる構成とすれば、リサイクルのためのコストを低減させることができる。しかし、合成樹脂の成型品は、アルミニウム部材と比較して光沢や質感が劣ってしまうため、ノブキャップ部を用いないで合成樹脂で成型された回動ノブ部が表面に露出してしまうと、オーディオ信号増幅装置１００の美観や質感が損なわれてしまう。
【００１４】
本発明は、回動ノブ部にノブキャップ部を固定する電子機器において、回動ノブ部とノブキャップ部を容易に分離させることができる電子機器を提供することを目的とする。
【課題を解決するための手段】
【００１５】
本願の請求項１記載の発明は、電子機器において、箱型を形成し内部に電子回路を固定する筐体と、前記筐体の一面に固定されるパネルと、前記パネルの内側に設置され回動可能なシャフトを備え当該シャフトの回動により内部の可変抵抗器の抵抗値を変化させるボリウム部と、円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、前記ノブキャップ部は、内側に折り曲げた折り曲げ部を備え、前記回動ノブ部は、外周に前記折り曲げ部を挿入する溝部を備えると共に他方の側面に前記折り曲げ部と嵌合する切欠き部を備えるアーム部を備え、前記アーム部は、前記回動ノブ部の中央を軸として前記溝部から前記切欠き部に回転する方向に亘って前記ノブキャップ部が挿入される方向に傾斜し前記折り曲げ部がスライドする平面を有する第１の傾斜部と、前記回動ノブ部の中央を軸として前記溝部から前記切欠き部に回転する方向に亘って外側に傾斜した第２の傾斜部と、略中央の部分に切欠き部とを備えることを特徴とする。
【００１６】
また、本願の請求項２記載の発明は、請求項１記載の電子機器において、前記回動ノブ部は、前記ノブキャップ部を押圧する弾性部を備えることを特徴とする。
【発明の効果】
【００１７】
本発明の電子機器によれば、回動ノブ部にノブキャップ部を固定する電子機器において、回動ノブ部とノブキャップ部を容易に分離させることができる電子機器を提供することができる。
【発明を実施するための最良の形態】
【００１８】
本発明の実施の形態を図面を参照して説明する。なお、従来技術で示した構成要素と同一の部分については同符号を用いる。
【００１９】
図１は、本発明の電子機器の一実施例の構成を示す斜視図である。
本実施例においては、電子機器としてオーディオ信号増幅装置を例に挙げ説明する。
【００２０】
オーディオ信号増幅装置１は、筐体２、パネル３、ボリウム部４、回動ノブ部５、ノブキャップ部６、図示しない入力部、出力部、増幅部及び電源部を備える。入力部、出力部、増幅部及び電源部は、筐体２の内部に固定され、パネル３は、筐体２の前面に固定される。
【００２１】
パネル３は、表面に凹部３０１を備え、当該凹部３０１の中央には前後に貫通する孔３０２を備える。ボリウム部４は、断面がＤ字形をした回動可能なシャフト４０１を備え、当該シャフト４０１がパネル３の孔３０２から前方に突出するようパネル３の後面に固定される。
【００２２】
入力部は、他の再生装置と電気的に接続され、出力部は、スピーカと電気的に接続されている。電源部は、入力部、ボリウム部４、出力部及び増幅部へ電力を供給する。他の再生装置は、光ディスクに記録されているオーディオデータを再生し、オーディオ信号を出力する。オーディオ信号増幅装置の入力部は、他の再生装置から出力されたオーディオ信号を入力し、増幅部に出力する。増幅部は、入力部から出力されたオーディオ信号を増幅し、ボリウム部４に出力する。
【００２３】
ボリウム部４は、シャフト４０１を回動することにより、ボリウム部４の内部の可変抵抗器の抵抗値が変化し、増幅部から出力されたオーディオ信号の信号レベルを増減させる。出力部は、ボリウム部４により信号レベルが増減されたオーディオ信号をスピーカに出力する。スピーカは、出力部から出力されたオーディオ信号を音波として放音する。
【００２４】
回動ノブ部５は、ＡＢＳ等の合成樹脂で成型された円筒型を形成し、後方に開口する凹部５０１を備える。回動ノブ部５は、凹部５０１の中央に円筒部５０２を備え、円筒部５０２の中央にシャフト４０１を圧入するＤ字形をした孔５０３を備える。
【００２５】
ノブキャップ部６は、円筒型を形成し、後方に開口する凹部６０１を備える。ノブキャップ部６は、凹部６０１に回動ノブ部５が挿入された状態で回動ノブ部５に固定される。回動ノブ部５及びノブキャップ部６のその他の構成については、後述する。
【００２６】
回動ノブ部５は、ノブキャップ部６を固定した状態で孔５０３にシャフト４０１を圧入することにより、シャフト４０１に保持された状態となる。したがって、ノブキャップ部６００を回動することによりシャフト４０１が回動する。
【００２７】
以上の構成により、従来のオーディオ信号増幅装置１は、入力部から入力したオーディオ信号を増幅部によって増幅し、ノブキャップ部６を回動させることによって出力部から出力するオーディオ信号の信号レベルを増減することができる。
【００２８】
図２は、本実施例のノブキャップ部６を示す図で、図２（ａ）は前面図、図２（ｂ）は側面図、図２（ｃ）は後面図である。図２（ｂ）においては、左方向をノブキャップ部６の前方とし、右方向をノブキャップ部６の後方とする。
ノブキャップ部６は、アルミニウム部材であり、外周の後方部分の一部を内側に折り曲げた折り曲げ部６０２を備える。
【００２９】
図３は、本実施例の回動ノブ部５を示す図で、図３（ａ）は前面図、図３（ｂ）は側面図、図３（ｃ）は後面図、図３（ｄ）は図３（ａ）のＡ−Ａ断面図である。図３（ｂ）においては、左方向を回動ノブ部５の前方とし、右方向を回動ノブ部５の後方とする。
【００３０】
回動ノブ部５は、前面に弾性部７を備え、外周の一部にアーム部８を備える。弾性部７は、前後に貫通するコの字形の孔７０１を備え、この孔７０１によって形成された帯状の部分の先端部分に前方に突出する凸部７０２を備える。図３（ｄ）に示すように、弾性部７は、凸部７０２の先端が後方に押圧されることによって後方に弾性変形し、この押圧がなくなると元の位置に戻る。
【００３１】
回動ノブ部５は、図３（ａ）及び図３（ｂ）に示すように、アーム部８の一方の側面（図３（ｂ）に示す上方向の側面）に溝部５０４を備えると共にアーム部８の他方の側面（図３（ｂ）に示す下方向の側面）にスリット５０５及び切欠き部５０６を備える。溝部５０４の外周方向の幅は、図２（ｂ）に示すノブキャップ部６の凹部６０１の外周方向の幅より僅かに長い。アーム部８の切欠き部５０６と対向する側面（図３（ｂ）に示すアーム部８の下方向の側面）から切欠き部５０６の側面（図３（ｂ）に示す切欠き部５０６の下方向の側面）までの幅は、図２（ｂ）に示すノブキャップ部６の凹部６０１の外周方向の幅より僅かに長い。
【００３２】
図３（ｂ）に示すように、アーム部８は、後方部分に回動ノブ部５の後方から見て反時計回り方向に亘って後方に傾斜し斜め後方に平面を有する第１の傾斜部８０１を備える。また、図３（ｃ）に示すように、アーム部８は、後方部分に回動ノブ部５の後方から見て反時計回り方向に亘って外側に傾斜した傾斜面を有する第２の傾斜部８０２を備える。また、図３（ｂ）に示すように、アーム部８は、略中央の位置に切欠き部８０４を備える。
【００３３】
図４は、回動ノブ部５にノブキャップ部６を固定しようとする様子を示す図で、図４（ａ）は側面図、図４（ｂ）は後面図である。図４（ａ）においては、左方向を回動ノブ部５の前方とし、右方向を回動ノブ部５の後方とする。
回動ノブ部５にノブキャップ部６を固定する場合は、先ず、ノブキャップ部６の折り曲げ部６０２の位置と回動ノブ部５の溝部５０４の位置を合わせた状態で、ノブキャップ部６の凹部６０１に回動ノブ部５を挿入する。すると、ノブキャップ部６は、図４（ａ）に示すように、折り曲げ部６０２が回動ノブ部５の溝部５０４に嵌合した状態で回動ノブ部５に挿入される。
【００３４】
図５は、図４（ａ）及び（ｂ）に示す状態からノブキャップ部６を回転させた状態を示す図で、図５（ａ）は側面図、図５（ｂ）は後面図である。図５（ａ）においては、左方向を回動ノブ部５の前方とし、右方向を回動ノブ部５の後方とする。
図４（ａ）及び（ｂ）に示すように、回動ノブ部５の凹部５０１の前方の内壁に弾性部７の凸部７０２が当接する位置になるまでノブキャップ部６を挿入させた後、回動ノブ部５の後方から見てノブキャップ部６を反時計回りに回転させる。すると、折り曲げ部６０２の前端部分が第１の傾斜部８０１の傾斜面と当接し、更に折り曲げ部６０２の前端部分が第１の傾斜部８０１の傾斜面をスライドする。ノブキャップ部６は、折り曲げ部６０２の前端部分が第１の傾斜部８０１の傾斜面をスライドすることにより、回動ノブ部５に対して斜め後方にねじ込まれた状態で更に回動ノブ部５に挿入される。このとき、アーム部８は、図５（ｂ）に示すように、折り曲げ部６０２がアーム部８の第２の傾斜部８０２を回動ノブ部５の後方から見て反時計回りにスライドすることにより、折り曲げ部６０２によって内側に押圧され、内側方向に弾性変形する。また、このとき、弾性部７は、凸部７０２がノブキャップ部６の凹部６０１の内壁に押圧され、後方に弾性変形する。
【００３５】
図６は、図５（ａ）及び（ｂ）に示す状態から更にノブキャップ部６を回転させた状態を示す図で、図６（ａ）は側面図、図６（ｂ）は後面図である。
図５（ａ）及び（ｂ）に示す状態から、回動ノブ部５の後方から見て更にノブキャップ部６を反時計回りに回転させると、ノブキャップ部６の折り曲げ部６０２は、アーム部８の第１の傾斜部８０１から外れ、切欠き部５０６に嵌合した状態となる。このとき、アーム部８は、図６（ｂ）に示すように、折り曲げ部６０２による内側への押圧から開放され、元の位置に戻る。
【００３６】
ノブキャップ部６は、折り曲げ部６０２が切欠き部５０６に嵌合することにより、切欠き部５０６及びアーム部８のそれぞれの側面によって外周方向へスライドすることを抑止され、また、弾性部７が弾性変形していることにより、弾性部７がノブキャップ部６の内壁を前方に押圧する力が生じ、折り曲げ部６０２の前端部分が切欠き部５０６の前方の内壁に当接した状態を維持する。このことにより、ノブキャップ部６を回動ノブ部５に固定することができる。
【００３７】
図７は、図６（ａ）及び（ｂ）に示す状態から回動ノブ部５の回転を抑止した状態でノブキャップ部６のみを回動ノブ部５の後方から見て時計回り方向に回転させた状態を示す図で、図７（ａ）は側面図、図７（ｂ）は後面図である。
【００３８】
回動ノブ部５とノブキャップ部６を分離する場合は、先ず、図６（ａ）及び（ｂ）に示す状態から、回動ノブ部５の回転を抑止した状態で、ノブキャップ部６のみを回動ノブ部５の後方から見て時計回り方向に回転させる。すると、図７（ａ）及び（ｂ）に示すように、折り曲げ部６０２が、アーム部８の側面を回動ノブ部５の後方から見て時計回り方向に押圧する。このため、アーム部８の切欠き部８０４の部分には、回動ノブ部５の後方から見て時計回り方向に剪断力が生じ、この結果、アーム部８が切欠き部８０４の部分を境として切断される。次に、ノブキャップ部６を回動ノブ部５の後方から見て時計回り方向に回転させ、ノブキャップ部６の折り曲げ部６０２を溝部５０４の位置にした後、ノブキャップ部６を回動ノブ部５から引き抜く。これにより、ノブキャップ部６は、折り曲げ部６０２が回動ノブ部５の溝部５０４に嵌合した状態から、回動ノブ部５の後方から見て時計回り方向に回転させることによって、切欠き部８０４の部分を境としてアーム部８が切断することにより、回動ノブ部５から引き抜くことができ、回動ノブ部５とノブキャップ部６を容易に分離することができる。
【００３９】
以上により、本実施例のオーディオ信号増幅装置１は、回動ノブ部５及びノブキャップ部６をリサイクル活用する場合、回動ノブ部５の回転を抑止した状態でノブキャップ部６のみを回動ノブ部５の後方から見て時計回り方向に回転させ、ノブキャップ部６の折り曲げ部６０２を溝部５０４の位置にした後、回動ノブ部５からノブキャップ部６を引き抜くことによって回動ノブ部５とノブキャップ部６を簡単に分離することができるので、リサイクルのためのコストを低減することができる。
【００４０】
本実施例のオーディオ信号増幅装置１は、回動ノブ部５の回転を抑止した状態でノブキャップ部６のみを回動ノブ部５の後方から見て時計回り方向に回転させることで簡単にノブキャップ部６を回動ノブ部５から分離することができるので、例えば、図１に示すように、回動ノブ部５がノブキャップ部６を固定した状態で孔５０３にシャフト４０１が圧入され、回動ノブ部５がシャフト４０１に保持されたままの状態であっても、シャフト４０１がこれ以上回動しなくなるまでノブキャップ部６を後方から見て時計回り方向に断続的に回転させた後、更に、ノブキャップ部６を後方から見て時計回り方向に回転させる力を加えることによって、アーム部８が切欠き部８０４の部分を境として切断し、ノブキャップ部６を回動ノブ部５から引き抜くことによってノブキャップ部６を回動ノブ部５から簡単に分離することができる。このことにより、例えば、オーディオ信号増幅装置１の各部品のうち、ノブキャップ部６のみをリサイクルしたいと希望する場合は、回動ノブ部５をシャフト４０１から抜き取る作業をしなくても簡単にノブキャップ部６のみをオーディオ信号増幅装置１から分離することができるので、ノブキャップ部６をリサイクルするための作業時間を低減することができる。
【図面の簡単な説明】
【００４１】
【図１】本発明の電子機器の一実施例の構成を示す斜視図。
【図２】本実施例のノブキャップ部６を示す図で、図２（ａ）は前面図、図２（ｂ）は側面図、図２（ｃ）は後面図。
【図３】本実施例の回動ノブ部５を示す図で、図３（ａ）は前面図、図３（ｂ）は側面図、図３（ｃ）は後面図、図３（ｄ）は図３（ａ）のＡ−Ａ断面図。
【図４】回動ノブ部５にノブキャップ部６を固定しようとする様子を示す図で、図４（ａ）は側面図、図４（ｂ）は後面図。
【図５】図４（ａ）及び（ｂ）に示す状態からノブキャップ部６を回転させた状態を示す図で、図５（ａ）は側面図、図５（ｂ）は後面図。
【図６】図５（ａ）及び（ｂ）に示す状態から更にノブキャップ部６を回転させた状態を示す図で、図６（ａ）は側面図、図６（ｂ）は後面図。
【図７】図６（ａ）及び（ｂ）に示す状態から回動ノブ部５の回転を抑止した状態でノブキャップ部６のみを回動ノブ部５の後方から見て時計回り方向に回転させた状態を示す図で、図７（ａ）は側面図、図７（ｂ）は後面図。
【図８】従来のオーディオ信号増幅装置の一例を示す斜視図。
【符号の説明】
【００４２】
１  オーディオ信号増幅装置、２  筐体、３  パネル、３０１  凹部、３０２  孔、
４  ボリウム部、４０１  シャフト、
５  回動ノブ部、５０１  凹部、５０２  円筒部、５０３  孔、
５０４  溝部、５０５  スリット、５０６  切欠き部、
７  弾性部、７０１  孔、７０２  凸部、
８  アーム部、８０１  第１の傾斜部、８０２  第２の傾斜部、８０４  切欠き部、
６  ノブキャップ部、６０１  凹部、６０２  折り曲げ部、
１００  オーディオ信号増幅装置、５００  回動ノブ部、６００  ノブキャップ部
【図１】
2008091735.tif 000003
【図２】
2008091735.tif 000004
【図３】
2008091735.tif 000005
【図４】
2008091735.tif 000006
【図５】
2008091735.tif 000007
【図６】
2008091735.tif 000008
【図７】
2008091735.tif 000009
【図８】
2008091735.tif 000010